(57)【要約】【課題】通信により適した周波数を選択することが可能な仕組みを提供する。【解決手段】通信品質の第１の閾値と、前記第１の閾値よりも低い前記通信品質の第２の閾値と、を記憶する記憶部と、前記通信品質を周波数毎に測定する測定部と、測定される前記通信品質が前記第１の閾値以上である第１の周波数を選択し、測定対象の周波数すべてにおいて前記第１の周波数が選択されなかった場合に、測定される前記通信品質が前記第２の閾値以上である第２の周波数を選択する選択部と、を備える無線通信装置。【選択図】図４
2017153026.tif 000002
【特許請求の範囲】
【請求項１】
通信品質の第１の閾値と、前記第１の閾値よりも低い前記通信品質の第２の閾値と、を記憶する記憶部と、
前記通信品質を周波数毎に測定する測定部と、
測定される前記通信品質が前記第１の閾値以上である第１の周波数を選択し、測定対象の周波数すべてにおいて前記第１の周波数が選択されなかった場合に、測定される前記通信品質が前記第２の閾値以上である第２の周波数を選択する選択部と、
を備える無線通信装置。
【請求項２】
前記選択部は、前記測定部による周波数毎の測定の度に、測定される前記通信品質が閾値以上であるかの判定に基づく周波数の選択処理を行う、
請求項１に記載の無線通信装置。
【請求項３】
前記周波数毎の測定は、前記第１の閾値および前記第２の閾値を含む前記通信品質の閾値毎に行われる、
請求項２に記載の無線通信装置。
【請求項４】
前記通信品質の閾値は、所定の信号パターンとの一致の程度に係る情報の閾値を含む、
請求項１〜３のいずれか１項に記載の無線通信装置。
【請求項５】
前記所定の信号パターンとの一致の程度に係る情報は、信号の誤りビット数を含む、
請求項４に記載の無線通信装置。
【請求項６】
前記通信品質の閾値は、信号の受信の安定性に係る情報の閾値を含む、
請求項１〜５のいずれか１項に記載の無線通信装置。
【請求項７】
前記信号の受信の安定性に係る情報は、所定の信号パターンの検出連続回数を含む、
請求項６に記載の無線通信装置。
【請求項８】
前記測定部は、測定対象の周波数すべてにおいて前記第１の周波数が選択されなかった場合、前記第１の閾値についての前記通信品質の測定の結果に基づいて特定される第３の周波数から前記第２の閾値についての前記通信品質の測定を開始する、
請求項３に記載の無線通信装置。
【請求項９】
前記第３の周波数は、測定された前記通信品質の高さに基づいて特定される、
請求項８に記載の無線通信装置。
【請求項１０】
前記通信品質の高さは、信号の誤りビット数の積算値の小ささを含む、
請求項９に記載の無線通信装置。
【請求項１１】
前記第３の周波数は、複数特定され、
前記測定の結果に基づく順に複数の前記第３の周波数毎の前記第２の閾値についての前記通信品質の測定が行われる、
請求項８〜１０のいずれか１項に記載の無線通信装置。
【請求項１２】
前記第２の閾値は、複数設けられ、
複数の前記第２の閾値は互いに異なる値である、
請求項８〜１１のいずれか１項に記載の無線通信装置。
【請求項１３】
前記第３の周波数から開始される前記通信品質の測定についての前記第２の閾値は、前記通信品質の測定について未使用である他のいずれの前記第２の閾値よりも高い、
請求項１２に記載の無線通信装置。
【請求項１４】
前記第３の周波数から開始される前記通信品質の測定についての前記第２の閾値は、前記通信品質の測定について未使用である他のいずれの前記第２の閾値よりも低い、
請求項１２に記載の無線通信装置。
【請求項１５】
プロセッサを用いて、
通信品質の第１の閾値と、前記第１の閾値よりも低い前記通信品質の第２の閾値と、をメモリに記憶させることと、
前記通信品質を周波数毎に測定することと、
測定される前記通信品質が前記第１の閾値以上である第１の周波数を選択し、測定対象の周波数すべてにおいて前記第１の周波数が選択されなかった場合に、測定される前記通信品質が前記第２の閾値以上である第２の周波数を選択することと、
を含む無線通信方法。
【発明の詳細な説明】
【技術分野】
【０００１】
本発明は、無線通信装置および無線通信方法に関する。
【背景技術】
【０００２】
近年、より快適な通信を実現するための様々な通信技術が研究開発されている。このような通信技術としては、基地局と子局とが通信する形態において基地局が形成するセルを子局がサーチする技術（以下、セルサーチとも称する。）がある。なお、セルサーチは周波数サーチとも呼ばれる。
【０００３】
例えば、特許文献１には、基地局から受信される信号の受信レベルに応じた時間間隔でセルサーチを行う携帯電話機に係る発明が開示されている。当該発明では、受信される全ての信号の受信レベルが第２の閾値よりも低い場合、当該全ての受信レベルが第２の閾値以上である場合よりも短い時間間隔でセルサーチが行われる。そのため、基地局との通信が途切れにくくなる。
【０００４】
このような、信号処理が失敗するおそれがある場合に信号処理に関する条件を変更する技術は、他の技術分野でも存在する。例えば、特許文献２には、記憶装置から読み出され二値化される再生信号の誤り訂正を行う誤り訂正回路において、信号の誤りが当該誤り訂正回路の処理能力を超える量に達した場合、再生信号の二値化条件が緩和される。
【先行技術文献】
【特許文献】
【０００５】
【特許文献１】特開２００７−８９００８号公報
【特許文献２】特開昭６２−３４３８６号公報
【発明の概要】
【発明が解決しようとする課題】
【０００６】
しかし、従来技術では、選択される周波数よりも通信に適した周波数が存在する場合があるという問題があった。例えば、特許文献１に代表される従来の周波数サーチでは概して、条件に合致する周波数が発見されると周波数サーチは終了し、発見された周波数が通信用に選択される。しかし、未サーチの周波数の通信品質が選択された周波数の通信品質よりも良好である可能性がある。
【０００７】
そこで、本発明は、上記問題に鑑みてなされたものであり、本発明の目的とするところは、通信により適した周波数を選択することが可能な仕組みを提供することにある。
【課題を解決するための手段】
【０００８】
上記課題を解決するために、本発明のある観点によれば、通信品質の第１の閾値と、前記第１の閾値よりも低い前記通信品質の第２の閾値と、を記憶する記憶部と、前記通信品質を周波数毎に測定する測定部と、測定される前記通信品質が前記第１の閾値以上である第１の周波数を選択し、測定対象の周波数すべてにおいて前記第１の周波数が選択されなかった場合に、測定される前記通信品質が前記第２の閾値以上である第２の周波数を選択する選択部と、を備える無線通信装置が提供される。
【０００９】
また、前記選択部は、前記測定部による周波数毎の測定の度に、測定される前記通信品質が閾値以上であるかの判定に基づく周波数の選択処理を行ってもよい。
【００１０】
また、前記周波数毎の測定は、前記第１の閾値および前記第２の閾値を含む前記通信品質の閾値毎に行われてもよい。
【００１１】
また、前記通信品質の閾値は、所定の信号パターンとの一致の程度に係る情報の閾値を含んでもよい。
【００１２】
また、前記所定の信号パターンとの一致の程度に係る情報は、信号の誤りビット数を含んでもよい。
【００１３】
また、前記通信品質の閾値は、信号の受信の安定性に係る情報の閾値を含んでもよい。
【００１４】
また、前記信号の受信の安定性に係る情報は、所定の信号パターンの検出連続回数を含んでもよい。
【００１５】
また、前記測定部は、測定対象の周波数すべてにおいて前記第１の周波数が選択されなかった場合、前記第１の閾値についての前記通信品質の測定の結果に基づいて特定される第３の周波数から前記第２の閾値についての前記通信品質の測定を開始してもよい。
【００１６】
また、前記第３の周波数は、測定された前記通信品質の高さに基づいて特定されてもよい。
【００１７】
また、前記通信品質の高さは、信号の誤りビット数の積算値の小ささを含んでもよい。
【００１８】
また、前記第３の周波数は、複数特定され、前記測定の結果に基づく順に複数の前記第３の周波数毎の前記第２の閾値についての前記通信品質の測定が行われてもよい。
【００１９】
また、前記第２の閾値は、複数設けられ、複数の前記第２の閾値は互いに異なる値であってもよい。
【００２０】
また、前記第３の周波数から開始される前記通信品質の測定についての前記第２の閾値は、前記通信品質の測定について未使用である他のいずれの前記第２の閾値よりも高くてもよい。
【００２１】
また、前記第３の周波数から開始される前記通信品質の測定についての前記第２の閾値は、前記通信品質の測定について未使用である他のいずれの前記第２の閾値よりも低くてもよい。
【００２２】
また、上記課題を解決するために、本発明の別の観点によれば、プロセッサを用いて、通信品質の第１の閾値と、前記第１の閾値よりも低い前記通信品質の第２の閾値と、をメモリに記憶させることと、前記通信品質を周波数毎に測定することと、測定される前記通信品質が前記第１の閾値以上である第１の周波数を選択し、測定対象の周波数すべてにおいて前記第１の周波数が選択されなかった場合に、測定される前記通信品質が前記第２の閾値以上である第２の周波数を選択することと、を含む無線通信方法が提供される。
【発明の効果】
【００２３】
以上説明したように本発明によれば、通信により適した周波数を選択することが可能な仕組みが提供される。
【図面の簡単な説明】
【００２４】
【図１】本発明の第１の実施形態に係る無線通信システムの概略的な構成の例を示す図である。
【図２】同実施形態に係る戸別受信機の概略的な物理構成の例を示す図である。
【図３】同実施形態に係る戸別受信機の概略的な論理構成の例を示す図である。
【図４】同実施形態に係る戸別受信機の周波数サーチ処理の全体を概念的に示すフローチャートである。
【図５】同実施形態に係る戸別受信機の選択処理を概念的に示すフローチャートである。
【図６】本発明の第２の実施形態に係る戸別受信機の周波数サーチ処理の全体を概念的に示すフローチャートである。
【図７】同実施形態に係る戸別受信機の選択処理を概念的に示すフローチャートである。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
また、説明の便宜上、第１および第２の実施形態に係る無線通信装置１００を、無線通信装置１００−１および無線通信装置１００−２のように、末尾に実施形態に対応する番号を付することにより区別する。
【００２７】
＜１．第１の実施形態（基本形態）＞
まず、本発明の第１の実施形態について説明する。第１の実施形態に係る無線通信装置１００−１は、受信に要される通信品質よりも高い通信品質の周波数を選択する。
【００２８】
＜１−１．システム構成＞
図１を参照して、本発明の第１の実施形態に係る無線通信システムについて説明する。図１は、本発明の第１の実施形態に係る無線通信システムの概略的な構成の例を示す図である。
【００２９】
図１に示したように、無線通信システムは、基地局（以下、親局とも称する。）１０、中継局２０、拡声子局３０および無線通信装置１００−１としての戸別受信機１００−１を備える。なお、当該無線通信システムは、防災に関する無線通信システムが想定されるが、広告宣伝などの商業目的その他の用途で用いられてもよい。
【００３０】
親局１０は、所定の周波数の信号を送信する。具体的には、親局１０は、周波数サーチ用の所定のパターン（以下、同期信号パターンとも称する。）の信号を含む信号を所定の周波数で送信する。例えば、親局１０は、同期信号パターンの信号および災害情報などの伝達情報を示す信号を図１に示したような周波数Ｆ１で送信する。
【００３１】
中継局２０は、親局１０の信号の送信を中継する。具体的には、中継局２０は、親局１０から受信される信号を当該受信された周波数と異なる周波数で送信する。例えば、中継局２０は、図１に示したように、親局１０から周波数Ｆ１で受信された信号を周波数Ｆ１と異なる周波数Ｆ２で送信する。これにより、親局１０から送信される電波が届かないエリアにおいても親局１０から発せられる情報を取得することができる。なお、中継局２０は、図１に示したように、周波数毎に異なる送受信機を有してもよい。
【００３２】
拡声子局３０は、固定局であり、親局１０または中継局２０から信号を受信し、受信される信号に基づいて報知する。具体的には、拡声子局３０は、親局１０または中継局２０から送信される信号のうち、所定の周波数で送信される信号を受信する。当該所定の周波数は、拡声子局３０における固定周波数または予め設定される周波数である。そして、拡声子局３０は、受信される信号の示す内容を拡声器などに出力させることにより周辺の人に報知する。また、拡声子局３０は、特定の場所に固定的に配置される。例えば、拡声子局３０は、電柱または電信柱などに取付けられ、図１に示したように、周波数Ｆ２が受信周波数として設定される場合、中継局２０から周波数Ｆ２で送信される信号を受信する。そして、拡声子局３０は、受信された信号の示す内容、例えばメッセージを音声として拡声器に出力させる。
【００３３】
戸別受信機１００−１は、移動局であり、親局１０または中継局２０から信号を受信し、受信される信号に基づいて報知する。具体的には、戸別受信機１００−１は、親局１０または中継局２０から送信される信号の周波数をサーチし、受信可能な周波数が発見されると発見された周波数で送信された信号を受信する。そして、戸別受信機１００−１は、受信された信号の示す内容を持ち主に報知する。例えば、戸別受信機１００−１は、図１に示したように親局１０および中継局２０から送信される信号の周波数をサーチし、サーチにより発見された周波数で送信された信号を受信する。
【００３４】
ここで、周波数の異なる複数の信号が戸別受信機１００−１に届く場合がある。例えば、図１に示したように親局１０からは周波数Ｆ１で信号が送信され、中継局２０からは周波数Ｆ２で信号が送信される。中継局２０は、親局１０の信号伝搬の中継をしているだけであるため、どちらの周波数であっても送信される信号の内容は同じである。そのため、従来では、周波数サーチにおいて最初に発見された受信可能な周波数が受信周波数として選択されていた。
【００３５】
しかし、従来のやり方では、未サーチの周波数の中には選択された周波数よりも通信品質が良好な周波数が存在する場合がある。そこで、本発明の第１の実施形態では、通信により適した周波数を選択することが可能な戸別受信機１００−１を提案する。以下、戸別受信機１００−１の詳細について説明する。
【００３６】
＜１−２．装置の構成＞
次に、戸別受信機１００−１の構成について説明する。
【００３７】
（戸別受信機の物理構成）
まず、図２を参照して、戸別受信機１００−１の物理構成例について説明する。図２は、本発明の第１の実施形態に係る戸別受信機１００−１の概略的な物理構成の例を示す図である。
【００３８】
図２に示したように、戸別受信機１００−１は、プロセッサ１０２、メモリ１０４、内部バス１０６、入出力インタフェース１０８、入力装置１１０、出力装置１１２、ストレージ装置１１４、通信インタフェース１１６および外部インタフェース１１８を備える。
【００３９】
（プロセッサ）
プロセッサ１０２は、演算処理装置および制御装置として機能し、各種プログラムと協働して後述する制御部１３２の機能を実現する。プロセッサ１０２は、制御回路を用いてメモリ１０４またはストレージ装置１１４などの他の記憶媒体に記憶されるプログラムを実行することにより、後述する戸別受信機１００−１の様々な論理的機能を動作させる。例えば、プロセッサ１０２はＣＰＵ（Ｃｅｎｔｒａｌ  Ｐｒｏｃｅｓｓｉｎｇ  Ｕｎｉｔ）またはＧＰＵ（Ｇｒａｐｈｉｃｓ  Ｐｒｏｃｅｓｓｉｎｇ  Ｕｎｉｔ）であり得る。なお、プロセッサ１０２は、マイクロプロセッサであってもよい。
【００４０】
（メモリ）
メモリ１０４は、プロセッサ１０２が使用するプログラムまたは演算パラメタなどを記憶し、後述する記憶部１３０の機能を実現する。例えば、メモリ１０４は、ＲＡＭ（Random  Access  Memory）およびＲＯＭ（Read  Only  Memory）を含み、プロセッサ１０２の実行において使用するプログラムまたは実行において適宜変化するパラメタなどを一時記憶する。なお、通信インタフェース１１６または外部インタフェース１１８などを介して外部のストレージ装置がメモリ１０４の一部として利用されてもよい。
【００４１】
なお、プロセッサ１０２およびメモリ１０４は、ＣＰＵバスなどを備える内部バス１０６により相互に接続されている。また、入出力インタフェース１０８は、内部バス１０６と、入力装置１１０、出力装置１１２、ストレージ装置１１４、通信インタフェース１１６および外部インタフェース１１８とを接続する。
【００４２】
（入力装置）
入力装置１１０は、情報を入力するための入力手段と、入力に基づいて入力信号を生成し、当該入力信号をＣＰＵ１０２に出力する入力制御回路と、を備え、後述する操作部１３８の機能を実現する。例えば、当該入力手段としては、ボタン、スイッチ、レバーおよびマイクロフォンなどがある。入力装置１１０が操作されることにより、戸別受信機１００−１に対して各種のデータが入力されたり処理動作が指示されたりする。
【００４３】
（出力装置）
出力装置１１２は、出力信号に基づいて音または光などを出力し、後述する音声出力部１３４および表示部１３６の機能を実現する。例えば、出力装置１１２は、スピーカおよびヘッドフォンなどの音出力装置であり得る。また、出力装置１１２は、ＬＥＤ（Ｌｉｇｈｔ  Ｅｍｉｔｔｉｎｇ  Ｄｉｏｄｅ）などを用いたランプ、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置およびプロジェクタ装置などの表示装置を含む。
【００４４】
（ストレージ装置）
ストレージ装置１１４は、データ格納用の装置である。ストレージ装置１１４は、記憶媒体、記憶媒体にデータを記録する記録装置、記憶媒体からデータを読み出す読出し装置および記憶媒体に記録されたデータを削除する削除装置等を含んでもよい。ストレージ装置１１４は、ＣＰＵ１３２が実行するプログラムや各種データを格納する。
【００４５】
（通信インタフェース）
通信インタフェース１１６は、親局１０または中継局２０と通信するための通信デバイスを備え、後述する受波部１２２、信号増幅部１２４、Ａ（Ａｎａｌｏｇ）／Ｄ（Ｄｉｇｉｔａｌ）変換部１２６および信号処理部１２８の機能を実現する。なお、通信インタフェース１１６は、無線通信対応デバイスを備えるが、それに加えて有線による通信を行うワイヤー通信対応デバイスを備えてもよい。また、通信インタフェース１１６は、無線ＬＡＮ（Ｌｏｃａｌ  Ａｒｅａ  Ｎｅｔｗｏｒｋ）対応通信デバイス、または３ＧもしくはＬＴＥ対応通信デバイスを備えてもよい。
【００４６】
（外部インタフェース）
外部インタフェース１１８は、戸別受信機１００−１の外部の装置または周辺機器と接続するためのバスである。また、外部インタフェース１１８は、ＵＳＢ（Ｕｎｉｖｅｒｓａｌ  Ｓｅｒｉａｌ  Ｂｕｓ）またはＳＣＳＩ（Ｓｍａｌｌ  Ｃｏｍｐｕｔｅｒ  Ｓｙｓｔｅｍ  Ｉｎｔｅｒｆａｃｅ）ポートなどであり得る。
【００４７】
（戸別受信機の論理構成）
次に、図３を参照して、戸別受信機１００−１の論理構成例について説明する。図３は、本発明の第１の実施形態に係る戸別受信機１００−１の概略的な論理構成の例を示す図である。
【００４８】
図３に示したように、戸別受信機１００−１は、受波部１２２、信号増幅部１２４、Ａ／Ｄ変換部１２６、信号処理部１２８、記憶部１３０、制御部１３２、音声出力部１３４、表示部１３６および操作部１３８を備える。
【００４９】
（受波部）
受波部１２２は、電波を受け取り、受け取られる電波に基づいて信号を生成する。具体的には、受波部１２２は、親局１０または中継局２０から送出された電波を受け取り、信号に変換する。そして、変換により得られた信号は、信号増幅部１２４に入力される。例えば、受波部１２２はアンテナにより実現される。
【００５０】
（信号増幅部）
信号増幅部１２４は、受波部１２２から提供される信号を増幅する。具体的には、信号増幅部１２４は、受波部１２２から提供される信号を入力とし、入力される信号の電力よりも大きい電力の信号を出力する。そして、出力される信号は、Ａ／Ｄ変換部１２６に入力される。
【００５１】
（Ａ／Ｄ変換部）
Ａ／Ｄ変換部１２６は、アナログ信号をデジタル信号に変換する。具体的には、Ａ／Ｄ変換部１２６は、信号増幅部１２４により増幅されたアナログ信号を、信号処理部１２８で処理可能なサンプリングデータであるデジタル信号に変換する。そして、変換により得られるデジタル信号は、信号処理部１２８に入力される。
【００５２】
（信号処理部）
信号処理部１２８は、入力される信号について周波数毎に所定の通信品質条件を満たす同期信号パターンの検出処理（以下、周波数サーチ処理とも称する。）を行う。具体的には、信号処理部１２８は、測定部として、通信品質を周波数毎に測定し、選択部として、測定される通信品質が第１の閾値以上である第１の周波数を選択する。より具体的には、信号処理部１２８は、周波数毎の測定の度に、測定される通信品質が閾値以上であるかの判定に基づく周波数の選択処理を行う。また、当該周波数毎の測定は、通信品質の閾値毎に行われる。
【００５３】
例えば、まず、信号処理部１２８は、選択処理の準備として、同期信号パターン検出用パラメタを設定する。詳細には、信号処理部１２８は、記憶部１３０に記憶される同期信号パターン、受信可能な周波数が示される周波数リスト、同期信号パターンの検出処理回数、通信品質の第１の閾値としての誤りビット数の許容値および検出連続回数の閾値を読出し、読み出されるこれらのパラメタを設定する。一例として、第１の閾値としての誤りビット数の許容値は０であってよく、第１の閾値としての検出連続回数の閾値は２であってよい。さらに、通信品質の閾値として電界強度の閾値が設定されてもよい。なお、次の処理以降が選択処理に相当する。
【００５４】
次に、信号処理部１２８は、周波数リストから選択される１つの周波数を処理対象として設定し、設定される周波数において同期信号パターンの検出処理を行う。詳細には、信号処理部１２８は、周波数リストから１つ周波数を選択し、選択される周波数を処理対象として設定する。そして、信号処理部１２８は、設定される周波数の信号について同期信号パターンの検出を試みる。設定される周波数の信号と同期信号パターンとの一致の程度が高いほど、誤りビット数が少なくなる。反対に、設定される周波数の信号と同期信号パターンとの一致の程度が低いほど、誤りビット数が多くなる。
【００５５】
次に、信号処理部１２８は、通信品質の測定処理として、検出処理において得られた所定の信号パターンとの一致の程度に係る情報に基づいて、設定されている周波数の信号の第１の通信品質を判定する。詳細には、信号処理部１２８は、検出処理において得られた誤りビット数が設定されている許容値以下であるかを判定する。
【００５６】
第１の通信品質が第１の閾値以上である場合、信号処理部１２８は、通信品質の測定処理として、信号の受信の安定性に係る情報に基づいて、設定されている周波数の信号の第２の通信品質を判定する。詳細には、誤りビット数が設定されている許容値以下である場合、信号処理部１２８は、検出連続回数をカウントアップする。そして、信号処理部１２８は、当該検出連続回数が設定されている閾値以上であるかを判定する。
【００５７】
第２の通信品質が第１の閾値以上である場合、信号処理部１２８は、設定されている周波数を第１の周波数として当該周波数の信号についての受信処理を行う。例えば、信号処理部１２８は、検出連続回数が閾値以上である場合、周波数サーチ処理を終了し、設定されている周波数の信号について受信処理を行う。なお、受信処理後の信号は、制御部１３２に入力される。
【００５８】
さらに、信号処理部１２８は、測定対象の周波数すべてにおいて第１の周波数が選択されなかった場合に、測定される通信品質が第２の閾値以上である第２の周波数を選択する。具体的には、信号処理部１２８は、第１の閾値についての周波数毎の測定が終了しても第１の周波数が選択されていない場合、第２の閾値についての周波数毎の測定を開始する。
【００５９】
例えば、まず、信号処理部１２８は、通信品質の閾値の設定を変更する。詳細には、信号処理部１２８は、周波数リストの全ての周波数について上記選択処理が終了し、受信処理が行われていない場合、通信品質の閾値を第１の閾値よりも通信品質として緩和された第２の閾値に変更する。一例として、第２の閾値としての誤りビット数の許容値は２であってよく、第２の閾値としての検出連続回数の閾値は１であってよい。なお、ここで第１の閾値は、通常の通信に要される品質よりも高い値が用いられることが望ましい。これにより、通常の通信の品質より高い品質の周波数が選択されることになる。これに対し、第２の閾値は通常の通信の品質または通常の通信の品質よりも低い品質に相当する値が用いられてよい。これにより、通常の通信の品質よりも高い品質の周波数が選択されなった場合にのみ、第２の閾値による通常の通信の品質以下の周波数が選択されることになる。
【００６０】
以降、上述した第１の閾値についての選択処理と実質的に同一の処理が行われ、第２の周波数として設定されている周波数の信号について受信処理が行われる。なお、第２の閾値は複数用意され、初回に設定される第２の閾値について周波数が選択されない場合に、当該初回に設定される第２の閾値よりもさらに通信品質として緩和された第２の閾値が通信品質の閾値として設定されてもよい。また、全ての通信品質の閾値について周波数サーチ処理が終了しても周波数が選択されない場合、最も緩和された第２の閾値について周波数サーチ処理が繰り返されてもよい。
【００６１】
なお、信号処理部１２８は、周波数サーチ処理のほか、復調処理、波形等化処理およびＡＦＣ（Ａｕｔｏｍａｔｉｃ  Ｆｒｅｑｕｅｎｃｙ  Ｃｏｎｔｒｏｌ）処理を行う。
【００６２】
（記憶部）
記憶部１３０は、戸別受信機１００−１の処理に用いられる情報を記憶する。具体的には、記憶部１３０は、信号処理部１２８の処理に用いられる同期信号パターン、周波数リスト、同期信号パターンの検出処理回数、通信品質の第１の閾値および第２の閾値を記憶する。
【００６３】
（制御部）
制御部１３２は、戸別受信機１００−１の処理を全体的に制御する。具体的には、制御部１３２は、信号処理部１２８から入力される信号に基づいて戸別受信機１００−１の処理を制御する。例えば、制御部１３２は、入力される信号から音声信号をデコードし、デコードされた音声信号が音声出力部１３４に入力される。また、制御部１３２は、入力される信号の示すメッセージに従って処理を行う。そのほか、制御部１３２は、表示部１３６の処理を制御する。例えば、制御部１３２は、戸別受信機１００−１の動作状況を示す表示を表示部１３６に出力させる。
【００６４】
なお、制御部１３２は、操作部１３８の操作により入力される信号に基づいて信号処理部１２８、音声出力部１３４および表示部１３６などの処理を制御してもよい。また、親局１０または中継局２０から戸別受信機１００−１へ送信される信号は、アナログデータであることが想定されるが、デジタルデータであってもよい。
【００６５】
（音声出力部）
音声出力部１３４は、制御部１３２から入力される音声信号に基づいて音声を出力する。具体的には、音声出力部１３４は、入力される音声信号を増幅し、増幅された音声信号をスピーカなどに出力させる。例えば、音声出力部１３４は、音声信号を増幅する回路を備える。
【００６６】
（表示部）
表示部１３６は、制御部１３２から入力される信号に基づいて光を出力する。具体的には、表示部１３６は、入力される信号に基づいてＬＥＤランプなどに光を出力させる。また、表示部１３６は、入力される画像信号に基づいて画像をディスプレイなどに出力させる。
【００６７】
（操作部）
操作部１３８は、戸別受信機１００−１に対するユーザの操作を受け付け、受け付けられる操作を制御部１３２に伝達する。具体的には、操作部１３８は、ユーザの操作に応じて信号を生成し、生成される信号が制御部１３２に入力される。
【００６８】
＜１−３．装置の処理＞
次に、本発明の第１の実施形態に係る戸別受信機１００−１の処理について説明する。まず、図４を参照して、戸別受信機１００−１の周波数サーチ処理の概要について説明する。図４は、本実施形態に係る戸別受信機１００−１の周波数サーチ処理の全体を概念的に示すフローチャートである。
【００６９】
戸別受信機１００−１は、パラメタを読み込む（ステップＳ２０２）。具体的には、信号処理部１２８は、記憶部１３０に記憶されている同期信号パターン検出用パラメタを読み出す。
【００７０】
次に、戸別受信機１００−１は、パラメタを選択し、選択されたパラメタを設定する（ステップＳ２０４）。具体的には、信号処理部１２８は、読み出された同期信号パターン検出用パラメタのうち、通信品質の閾値としての誤りビット数の許容値、検出連続回数の閾値および電界強度の閾値を選択する。通信品質の閾値は、周波数リストの巡回数に応じて選択される。例えば、周波数リストの巡回数が０である場合すなわち初回では、第１の閾値としての誤りビット数の許容値、検出連続回数の閾値および電界強度の閾値が選択される。周波数リストの巡回数が１以上である場合では、第２の閾値としての誤りビット数の許容値などが選択される。そして、信号処理部１２８は、選択されたパラメタを処理で用いられるパラメタとして設定する。
【００７１】
次に、戸別受信機１００−１は、周波数リストにおける未測定の周波数の有無を判定する（ステップＳ２０６）。具体的には、信号処理部１２８は、読み出された同期信号パターン検出用パラメタのうちの周波数リストにおいて未測定の周波数が存在するかを判定する。
【００７２】
未測定の周波数が存在すると判定されると、戸別受信機１００−１は、未測定の周波数を処理対象に設定する（ステップＳ２０８）。具体的には、信号処理部１２８は、周波数リストにおいて未測定の周波数が存在すると判定されると、未測定の周波数のうちの１つを選択し、選択処理の対象として設定する。
【００７３】
次に、戸別受信機１００−１は、通信品質を測定する（ステップＳ２１０）。具体的には、信号処理部１２８は、設定された周波数について選択処理を開始し、通信品質を測定する。詳細については後述する。
【００７４】
次に、戸別受信機１００−１は、通信品質が設定閾値以上であるかを判定する（ステップＳ２１２）。具体的には、信号処理部１２８は、測定された通信品質がステップＳ２０４にて設定された閾値以上であるかを判定する。詳細については後述する。なお、通信品質が設定された閾値以上であると判定されると、戸別受信機１００−１は、処理対象に設定された周波数の信号について受信処理を行う。
【００７５】
なお、ステップＳ２０６にて、未測定の周波数が存在しないと判定されると、戸別受信機１００−１は、周波数リストの巡回数をカウントアップする（ステップＳ２１４）。具体的には、信号処理部１２８は、周波数リストの巡回数をカウントアップし、パラメタの選択および設定の処理（ステップＳ２０４）へ処理が戻される。
【００７６】
続いて、図５を参照して、戸別受信機１００−１の上述した選択処理（ステップＳ２１０およびステップＳ２１２の処理）について説明する。図５は、本実施形態に係る戸別受信機１００−１の選択処理を概念的に示すフローチャートである。
【００７７】
戸別受信機１００−１は、同期信号パターン検出処理回数が上限に達したかを判定する（ステップＳ３０２）。具体的には、信号処理部１２８は、同期信号パターン検出処理回数が、同期信号パターン検出用パラメタとして設定される同期信号パターン検出処理回数の上限に達したかを判定する。
【００７８】
同期信号パターン検出処理回数が上限に達していないと判定されると、戸別受信機１００−１は、Ａ／Ｄ変換信号を読み込む（ステップＳ３０４）。具体的には、信号処理部１２８は、同期信号パターン検出処理回数が上限に達していないと判定されると、電波を介して得られ、Ａ／Ｄ変換処理がなされた信号を読み込む。
【００７９】
次に、戸別受信機１００−１は、同期信号パターン検出処理を行う（ステップＳ３０６）。具体的には、信号処理部１２８は、読み込まれた信号のうちの設定された周波数の信号について、同期信号パターン検出用パラメタとして設定された同期信号パターンとの一致性を検証する。当該処理において、読み込まれた設定周波数の信号の同期信号パターンに対する誤りビット数も算出される。
【００８０】
次に、戸別受信機１００−１は、同期信号パターン検出処理回数をカウントアップする（ステップＳ３０８）。具体的には、信号処理部１２８は、同期信号パターン検出処理が終了すると、同期信号パターン検出処理回数をカウントアップする。
【００８１】
次に、戸別受信機１００−１は、信号の誤りビット数が許容値以下であるかを判定する（ステップＳ３１０）。具体的には、信号処理部１２８は、同期信号パターン検出処理において算出された、読み込まれた設定周波数の信号の同期信号パターンに対する誤りビット数が、設定された許容値以下であるかを判定する。
【００８２】
信号の誤りビット数が許容値以下であると判定されると、戸別受信機１００−１は、検出連続回数をカウントアップする（ステップＳ３１２）。具体的には、信号処理部１２８は、算出誤りビット数が設定された許容値以下であると判定されると、検出連続回数をカウントアップする。
【００８３】
次に、戸別受信機１００−１は、検出連続回数が閾値以上であるかを判定する（ステップＳ３１４）。具体的には、信号処理部１２８は、検出連続回数が設定された閾値以上であるかを判定する。
【００８４】
検出連続回数が閾値以上であると判定されると、戸別受信機１００−１は、電界強度が閾値以上であるかを判定する（ステップＳ３１６）。具体的には、信号処理部１２８は、検出連続回数が設定された閾値以上であると判定されると、設定周波数の信号の電界強度が設定された閾値以上であるかを判定する。なお、電界強度が設定された閾値以上であると判定されると、信号処理部１２８は、当該設定周波数の信号について受信処理を行う。
【００８５】
＜１−４．第１の実施形態のまとめ＞
このように、本発明の第１の実施形態によれば、戸別受信機１００−１は、通信品質の第１の閾値と、前記第１の閾値よりも低い前記通信品質の第２の閾値と、を記憶する。そして、戸別受信機１００−１は、通信品質を周波数毎に測定し、測定される通信品質が第１の閾値以上である第１の周波数を選択し、測定対象の周波数すべてにおいて第１の周波数が選択されなかった場合に、測定される通信品質が第２の閾値以上である第２の周波数を選択する。従来では、周波数サーチ処理においては、通信が許容される通信品質の周波数であれば、通信品質の高さは関係なく選択されていた。これに対し、本実施形態によれば、通信品質が第１の閾値よりも低い周波数が先に発見される場合であっても、後から発見される第１の閾値以上の周波数を選択することができる。従って、通信により適した周波数を選択することが可能となる。
【００８６】
また、戸別受信機１００−１は、周波数毎の測定の度に、測定される通信品質が閾値以上であるかの判定に基づく周波数の選択処理を行う。このため、通信品質が第１の閾値以上である周波数が発見され次第、周波数サーチ処理を終了し、信号の受信処理などの後続の処理を開始することができる。従って、処理対象の周波数すべてについて選択処理が行われないため、周波数サーチ処理にかかる時間を短縮することが可能となる。
【００８７】
また、上記周波数毎の測定は、第１の閾値および第２の閾値を含む通信品質の閾値毎に行われる。このため、一度に複数の閾値について当該周波数毎の測定が行われる場合と比べて処理量を低減することができる。ここで、戸別受信機１００−１は、防災などに利用されることが目的の一つであるため、概して処理性能は高くなく、また省電力のため消費電力が低いことが望ましい。本構成によれば、戸別受信機１００−１の周波数サーチにかかる処理量が低減されることにより、処理速度の向上および省電力が可能となる。
【００８８】
また、上記通信品質の閾値は、所定の信号パターンとの一致の程度に係る情報の閾値を含む。さらに、当該所定の信号パターンとの一致の程度に係る情報は、信号の誤りビット数を含む。このため、信号の欠落または誤りが他の周波数よりも少ない周波数を選択することができる。従って、信号に基づいて処理されるデータの正確性または完全性を向上させることが可能となる。
【００８９】
また、上記通信品質の閾値は、信号の受信の安定性に係る情報の閾値を含む。さらに、当該信号の受信の安定性に係る情報は、所定の信号パターンの検出連続回数を含む。このため、親局１０または中継局２０からの信号を継続して受信することができる。従って、信号に基づく音声出力などが途切れることを抑制することが可能となる。
【００９０】
また、上記第２の閾値は、複数設けられ、複数の当該第２の閾値は互いに異なる値である。このため、第１の閾値の次に設定される第２の閾値についても周波数が選択されない場合であっても、さらに通信品質として緩和された閾値で上述した選択処理を行うことができる。従って、閾値以上の通信品質の周波数が発見されず周波数サーチ処理が繰り返されることを抑制することが可能となる。
【００９１】
＜１−５．変形例＞
以上、本発明の第１の実施形態について説明した。なお、本実施形態は、上述の例に限定されない。以下に、本実施形態の変形例について説明する。
【００９２】
本実施形態の変形例として、戸別受信機１００−１は、複数の通信品質の閾値について並行して周波数サーチ処理を行ってもよい。具体的には、信号処理部１２８は、複数の通信品質の閾値について周波数毎の測定を行う。
【００９３】
例えば、まず、信号処理部１２８は、同期信号パターン検出用パラメタを設定する。詳細には、信号処理部１２８は、通信品質の第１の閾値および第２の閾値としての誤りビット数の許容値および検出連続回数の閾値をそれぞれ設定する。なお、第２の閾値が複数である場合は複数の第２の閾値もそれぞれ設定される。
【００９４】
次に、信号処理部１２８は、周波数リストから選択される１つの周波数を処理対象として設定し、設定される周波数において同期信号パターンの検出処理を行う。当該処理は第１の実施形態と実質的に同一である。
【００９５】
次に、信号処理部１２８は、検出処理において得られた所定の信号パターンとの一致の程度に係る情報に基づいて、設定されている周波数の信号の第１の通信品質を判定する。詳細には、信号処理部１２８は、検出処理において算出された誤りビット数が設定されている第１の閾値としての許容値以下であるかを判定する。続けて、信号処理部１２８は、当該算出された誤りビット数が第２の閾値としての許容値以下であるかを判定する。
【００９６】
第１の通信品質が閾値以上である場合、信号処理部１２８は、信号の受信の安定性に係る情報に基づいて、設定されている周波数の信号の第２の通信品質を判定する。詳細には、誤りビット数が設定されている第１の閾値としての許容値以下である場合、信号処理部１２８は、第１の閾値についての検出連続回数をカウントアップする。そして、信号処理部１２８は、当該第１の閾値についての検出連続回数が設定されている第１の閾値としての閾値以上であるかを判定する。また、信号処理部１２８は、誤りビット数が設定されている第２の閾値としての許容値以下である場合、信号処理部１２８は、第２の閾値についての検出連続回数をカウントアップする。
【００９７】
第２の通信品質が第１の閾値以上である場合、信号処理部１２８は、設定されている周波数を第１の周波数として選択する。詳細には、信号処理部１２８は、検出連続回数が第１の閾値としての閾値以上である場合、周波数サーチ処理を終了し、設定周波数の信号について受信処理を行う。また、検出連続回数が第１の閾値としての閾値未満である場合、設定周波数の測定処理が終了する（すなわち同期信号パターン検出回数が上限に達する）と、信号処理部１２８は、第２の閾値についての検出連続回数を設定周波数と対応付けて記憶部１３０に記憶させる。
【００９８】
そして、周波数リストのすべての周波数について選択処理が終了し、第１の周波数が選択されていない場合、信号処理部１２８は、記憶されている第２の通信品質の測定結果から第２の閾値以上である周波数が存在するかを判定する。詳細には、信号処理部１２８は、第１の閾値についての選択処理が終了すると、記憶部１３０に記憶された検出連続回数が第２の閾値以上である周波数の有無を判定する。第２の閾値以上の検出連続回数である周波数が存在すると判定される場合、信号処理部１２８は、当該周波数の信号について受信処理を行う。なお、第２の閾値が複数存在する場合、第２の閾値以上の検出連続回数である周波数が発見されるまで当該処理が繰り返される。
【００９９】
なお、第１の閾値および全ての第２の閾値について周波数が選択されなかった場合、周波数サーチ処理が最初からやり直される。
【０１００】
このように、本実施形態の変形例によれば、戸別受信機１００−１は、複数の通信品質の閾値について並行して周波数毎の測定を行う。このため、一度の通信品質の測定で複数の通信品質の閾値との関係を把握することができる。これにより、通信品質が第１の閾値以上である周波数が発見されない場合に、第２の閾値について再度選択処理を行うことなく、通信品質が第２の閾値以上である周波数の有無を判定することができる。従って、周波数サーチ処理の最悪時間の短縮が可能となる。
【０１０１】
＜２．第２の実施形態（応用形態）＞
以上、本発明の第１の実施形態について説明した。次に、本発明の第２の実施形態について説明する。第２の実施形態では、第１の閾値についての周波数サーチ処理の結果を利用して第２の閾値についての周波数サーチが行われる。
【０１０２】
＜２−１．装置の構成＞
まず、戸別受信機１００−２の構成について説明する。なお、戸別受信機１００−２の物理構成は戸別受信機１００−１と実質的に同一であるため説明を省略する。
【０１０３】
（戸別受信機の論理構成）
戸別受信機１００−２の論理構成例について説明する。なお、信号処理部１２８以外の構成については戸別受信機１００−１の論理構成と実質的に同一であるため説明を省略する。
【０１０４】
（信号処理部）
信号処理部１２８は、測定対象の周波数すべてにおいて第１の周波数が選択されなかった場合、第１の閾値についての通信品質の測定の結果に基づいて特定される第３の周波数から第２の閾値についての通信品質の測定を開始する。具体的には、信号処理部１２８は、第１の閾値についての通信品質の測定において測定された通信品質の高さに基づいて当該第３の周波数を特定する。
【０１０５】
例えば、信号処理部１２８は、第１の閾値についての周波数サーチ処理において、周波数毎に通信品質の高さを示す情報を記憶部１３０に記憶させる。詳細には、信号処理部１２８は、第１の閾値についての周波数サーチ処理において、周波数毎の誤りビット数の積算値を算出し、算出された誤りビット数の積算値を周波数と対応付けて記憶部１３０に記憶させる。
【０１０６】
次に、信号処理部１２８は、第１の閾値についての周波数サーチ処理が終了し、周波数が選択されていない場合、記憶部１３０に記憶された周波数毎の通信品質の高さを示す情報に基づいて第３の周波数を特定する。詳細には、信号処理部１２８は、第１の閾値についての周波数サーチ処理が終了し、周波数が選択されていない場合、記憶部１３０に記憶されている誤りビット数の積算値のうちの最も小さい積算値に対応付けられている周波数を特定する。
【０１０７】
そして、信号処理部１２８は、特定された第３の周波数について第２の閾値についての選択処理を行う。詳細には、信号処理部１２８は、同期信号パターン検出用パラメタのうちの通信品質の閾値を第２の閾値に設定し、特定された周波数を処理対象として設定する。そして、信号処理部１２８は、設定周波数で第２の閾値についての選択処理を行う。
【０１０８】
なお、第２の閾値が複数設けられる場合、第３の周波数についての選択処理には、未使用である他のいずれの第２の閾値よりも高い閾値が用いられる。すなわち、第１の閾値の次に通信品質として厳しい値の第２の閾値が用いられる。
【０１０９】
＜２−２．装置の処理＞
次に、本発明の第２の実施形態に係る戸別受信機１００−２の処理について説明する。なお、第１の実施形態に係る戸別受信機１００−１の処理と実質的に同一である処理については説明を省略する。
【０１１０】
まず、図６を参照して、戸別受信機１００−２の周波数サーチ処理の概要について説明する。図６は、本実施形態に係る戸別受信機１００−２の周波数サーチ処理の全体を概念的に示すフローチャートである。
【０１１１】
戸別受信機１００−２は、パラメタを読出す（ステップＳ４０２）。そして、戸別受信機１００−２は、読み出されたパラメタを選択し、設定する（ステップＳ４０４）。
【０１１２】
次に、戸別受信機１００−２は、周波数リストにおける全ての周波数について、周波数の設定および設定周波数についての選択処理が行われるまで処理を繰り返す（ステップＳ４０６〜ステップＳ４１２）。
【０１１３】
ステップＳ４０６にて周波数リストにおいて未測定の周波数が存在しないと判定されると、戸別受信機１００−２は、周波数リストの巡回数をカウントアップする（ステップＳ４１４）。
【０１１４】
次に、戸別受信機１００−２は、通信品質の測定結果に基づき周波数を特定する（ステップＳ４１６）。具体的には、信号処理部１２８は、第１の閾値について周波数サーチ処理において算出された周波数毎の誤りビット数の積算値を記憶部１３０から読出し、当該誤りビット数の積算値が最も小さい周波数を特定する。
【０１１５】
次に、戸別受信機１００−２は、パラメタを選択し、設定する（ステップＳ４１８）。具体的には、信号処理部１２８は、第２の閾値としての誤りビット数の許容値、検出連続回数の閾値および電界強度の閾値を設定する。
【０１１６】
次に、戸別受信機１００−２は、特定された周波数を設定する（ステップＳ４２０）。具体的には、信号処理部１２８は、ステップＳ４１６にて特定された周波数を処理対象の周波数として設定する。
【０１１７】
次に、戸別受信機１００−２は、設定された周波数について通信品質を測定し（ステップＳ４２２）、通信品質が設定閾値以上であるかを判定する（ステップＳ４２４）。通信品質が設定閾値すなわち第２の閾値以上であると判定されると、戸別受信機１００−２は、周波数サーチ処理を終了し、設定された周波数の信号について受信処理を行う。
【０１１８】
なお、通信品質が設定閾値未満であると判定されると、ステップＳ４０６に戻って周波数リストに基づく処理が繰り返される。また、第２の閾値についても第１の閾値と同様に通信品質の測定結果に基づいて周波数が特定され、特定される周波数について次の第２の閾値を用いた選択処理が行われる。
【０１１９】
続いて、図７を参照して、戸別受信機１００−２の上述した選択処理（ステップＳ４１０およびＳ４１２の処理）について説明する。図７は、本実施形態に係る戸別受信機１００−２の選択処理を概念的に示すフローチャートである。
【０１２０】
戸別受信機１００−２は、同期信号パターン検出処理回数が上限に達するまで同期信号パターン検出処理を行う（ステップＳ５０２〜ステップＳ５０８）。
【０１２１】
ここで、同期信号パターン検出処理が終了する度に、戸別受信機１００−２は、誤りビット数を加算する（ステップＳ５１０）。具体的には、信号処理部１２８は、同期信号パターン検出処理が終了すると、当該同期信号パターン検出処理において算出された誤りビット数を積算カウンタに加算する。
【０１２２】
次に、戸別受信機１００−２は、同期信号パターン検出処理回数が上限に達していないと判定される（ステップＳ５１２）と、信号の誤りビット数が許容値以下であるか、検出連続回数が閾値以上であるか、および電界強度が閾値以上であるかを判定する処理を行う（ステップＳ５１６〜Ｓ５２２）。
【０１２３】
また、戸別受信機１００−２は、同期信号パターン検出処理回数が上限に達したと判定される（ステップＳ５１２）と、誤りビット数の積算値を設定周波数に対応付けて記憶する（ステップＳ５１４）。具体的には、信号処理部１２８は、同期信号パターン検出処理回数が上限に達したと判定されると、誤りビット数の積算カウンタの値を設定周波数と対応付けて記憶部１３０に記憶させる。
【０１２４】
＜２−３．第２の実施形態のまとめ＞
このように、本発明の第２の実施形態によれば、戸別受信機１００−２は、測定対象の周波数すべてにおいて上記第１の周波数が選択されなかった場合、上記第１の閾値についての通信品質の測定の結果に基づいて特定される第３の周波数から上記第２の閾値についての通信品質の測定を開始する。このため、第１の閾値についての周波数サーチ処理で周波数が選択されなかったとしても、第２の閾値について効率的に周波数サーチ処理を行うことができる。従って、第１の閾値以上の通信品質の周波数が存在しなかった場合の周波数サーチ処理にかかる時間を短縮することが可能となる。第１の閾値が通信の許容される閾値よりも通信品質として厳しい値に設定されるため、初回の周波数サーチ処理で周波数が選択されない場合がある。しかし、本構成によれば、このような場合であっても周波数が選択されるまでの時間が長期化することを抑制できる。
【０１２５】
また、上記第３の周波数は、測定された通信品質の高さに基づいて特定される。このため、通信品質が高いほど第２の閾値以上である可能性が高いので、第３の周波数が受信周波数として選択される可能性を高めることができる。従って、周波数サーチ処理にかかる時間をより確実に短縮することが可能となる。
【０１２６】
また、上記通信品質の高さは、信号の誤りビット数の積算値の小ささを含む。ここで、誤りビット数が許容値以上の場合にのみ同期信号パターンが検出される（すなわち検出連続回数がカウントアップされる）ため、誤りビット数が通信品質のうちの主要な指標であるともいえる。そこで、本構成のように、誤りビット数の積算値が第３の周波数の特定に用いられることにより、特定される第３の周波数の通信品質が第２の閾値以上である可能性をより高めることができる。なお、信号の受信の安定性が重視される場合には、検出連続回数の多さに基づいて第３の周波数が特定されてもよい。
【０１２７】
また、上記第３の周波数から開始される通信品質の測定についての第２の閾値は、通信品質の測定について未使用である他のいずれの第２の閾値よりも高い。このため、通信品質が第１の閾値未満であっても、できる限り良好な通信品質の周波数を受信周波数として選択することができる。
【０１２８】
＜２−４．変形例＞
以上、本発明の第２の実施形態について説明した。なお、本実施形態は、上述の例に限定されない。以下に、本実施形態の第１および第２の変形例について説明する。
【０１２９】
（第１の変形例）
本実施形態の第１の変形例として、戸別受信機１００−２は、上記第３の周波数が複数特定される場合、複数の第３の周波数の所定の順に選択処理を行ってもよい。具体的には、信号処理部１２８は、測定の結果に基づく順に複数の第３の周波数毎の第２の閾値についての通信品質の測定および周波数の選択を行う。例えば、信号処理部１２８は、誤りビット数の積算値が同値の周波数が複数存在する場合、検出連続回数の多い順に第２の閾値についての選択処理を行う。
【０１３０】
このように、本実施形態の第１の変形例によれば、戸別受信機１００−２は、測定の結果に基づく順に複数の第３の周波数毎の第２の閾値についての通信品質の測定および周波数の選択を行う。このため、通信品質が第２の閾値以上である周波数の選択にかかる時間を短縮することができる。
【０１３１】
なお、信号処理部１２８は、誤りビット数の積算値が最も小さい周波数を第３の周波数として選択する代わりに、誤りビット数の積算値が閾値以下である周波数を第３の周波数として選択してもよい。この場合、信号処理部１２８は、誤りビット数の積算値の小さい順に第２の閾値についての選択処理を行ってよい。これにより、通信品質が第２の閾値以上である周波数の選択にかかる時間をさらに短縮することができる。
【０１３２】
（第２の変形例）
本実施形態の第２の変形例として、第２の閾値が複数である場合、第３の周波数から開始される次回の周波数サーチ処理において用いられる第２の閾値は、他のいずれの未使用の第２の閾値よりも低くてもよい。具体的には、信号処理部１２８は、周波数サーチ処理の終了後で周波数が選択されていない場合、未使用である第２の閾値のうちの他のいずれの値よりも通信品質として緩和された値の第２の閾値を設定する。例えば、第１の閾値についての周波数サーチ処理の終了後で周波数が選択されていない場合、信号処理部１２８は、第２の閾値のうちの他のいずれの値よりも誤りビット数の許容値もしくは検出連続回数の閾値またはその両方が低い第２の閾値を設定する。
【０１３３】
このように、本実施形態の第２の変形例によれば、第３の周波数から開始される通信品質の測定についての第２の閾値は、通信品質の測定について未使用である他のいずれの第２の閾値よりも低い。このため、通信品質の第１の閾値についての周波数サーチ処理における通信品質の測定結果が良好な周波数を選択する確実性を高めることができる。従って、測定結果に基づいて所望される周波数が選択されるまでの時間を短縮することが可能となる。
【０１３４】
＜３．むすび＞
以上、本発明の第１の実施形態によれば、通信品質が第１の閾値よりも低い周波数が先に発見される場合であっても、後から発見される第１の閾値以上の周波数を選択することができる。従って、通信により適した周波数を選択することが可能となる。
【０１３５】
また、本発明の第２の実施形態によれば、第１の閾値についての周波数サーチ処理で周波数が選択されなかったとしても、第２の閾値について効率的に周波数サーチ処理を行うことができる。従って、第１の閾値以上の通信品質の周波数が存在しなかった場合の周波数サーチ処理にかかる時間を短縮することが可能となる。第１の閾値が通信の許容される閾値よりも通信品質として厳しい値に設定されるため、初回の周波数サーチ処理で周波数が選択されない場合がある。しかし、本構成によれば、このような場合であっても周波数が選択されるまでの時間が長期化することを抑制できる。
【０１３６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３７】
例えば、上記実施形態では、通信品質を示す指標が誤りビット数、同期信号パターン検出連続回数および電界強度であるとしたが、本発明はかかる例に限定されない。例えば、信号の受信継続時間または受信中断回数のような他の通信品質を示す指標が用いられてもよい。
【０１３８】
また、上記の実施形態のフローチャートに示されたステップは、記載された順序に沿って時系列的に行われる処理はもちろん、必ずしも時系列的に処理されなくとも、並列的にまたは個別的に実行される処理をも含む。また時系列的に処理されるステップでも、場合によっては適宜順序を変更することが可能であることは言うまでもない。
【０１３９】
また、戸別受信機１００に内蔵されるハードウェアに上述した戸別受信機１００の各論理構成と同等の機能を発揮させるためのコンピュータプログラムも作成可能である。また、当該コンピュータプログラムが記憶された記憶媒体も提供される。
【符号の説明】
【０１４０】
１０      親局、基地局
２０      中継局
３０      拡声子局
１００    無線通信装置、戸別受信機
１２２    受波部
１２４    信号増幅部
１２６    Ａ／Ｄ変換部
１２８    信号処理部
１３０    記憶部
１３２    制御部
１３４    音声出力部
１３６    表示部
１３８    操作部
【図１】
2017153026.tif 000003
【図２】
2017153026.tif 000004
【図３】
2017153026.tif 000005
【図４】
2017153026.tif 000006
【図５】
2017153026.tif 000007
【図６】
2017153026.tif 000008
【図７】
2017153026.tif 000009